【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
ネットワークにおけるユーザ機器（ＵＥ）によるワイヤレス通信のための方法であって、
前記ＵＥが前記ネットワークにおいて基地局と間接的にそれを通して通信し得る、１つまたは複数の中間デバイスを特定するために、発見プロシージャを実行することと、
前記中間デバイスと前記基地局との間の少なくとも１つの信号強度を含む前記発見プロシージャによって特定される中間デバイスから、情報を受信することと、ここにおいて、前記情報は、前記中間デバイスからの発見信号において受信される、
１つまたは複数の基準に基づいて、より大きいシステム帯域幅の少なくとも１つの狭帯域領域を介して直接的に前記基地局と通信すべきか、または前記中間デバイスを介して間接的に前記ネットワークと通信すべきかを決定することと、
ここにおいて、前記１つまたは複数の基準は、
前記中間デバイスと前記基地局との間の前記信号強度を伴う基準と、
デバイス間（Ｄ２Ｄ）通信に関して前記中間デバイスで利用可能なリソースを伴う基準と、前記中間デバイスで利用可能な前記リソースは、前記Ｄ２Ｄ通信に関して利用可能な少なくとも１つのデータレートを備える、
を備え、
ここにおいて、前記受信した情報は、Ｄ２Ｄ通信関して前記中間デバイスで利用可能な前記リソースのインジケーションをさらに含む、
を備える、方法。
【請求項２】
前記１つまたは複数の基準は、
前記発見プロシージャが、前記ＵＥの近傍にある中間デバイスを特定するか否か、
前記ＵＥと前記基地局との間の信号強度を伴う基準、または
前記ＵＥと中間デバイスとの間の信号強度を伴う基準
のうちの少なくとも１つをさらに備える、請求項１に記載の方法。
【請求項３】
前記１つまたは複数の中間デバイスは、同じくより大きいシステム帯域幅の少なくとも１つの狭帯域領域を介して前記基地局と通信する、フォン、低電力基地局、リモートラジオヘッド、またはハブデバイスのうちの少なくとも１つを備える、請求項１に記載の方法。
【請求項４】
前記発見プロシージャは、
１つまたは複数のセルからの同期信号を探索すること、
１つまたは複数の中間デバイスからの発見信号を探索すること、または
１つまたは複数の中間デバイスからのあらかじめ定義された発見信号を探索すること
のうちの少なくとも１つを伴う、請求項１に記載の方法。
【請求項５】
前記発見プロシージャを実行するために１つまたは複数のパラメータをネゴシエートすることをさらに備える、請求項１に記載の方法。
【請求項６】
中間デバイスを介して間接的に前記基地局と通信することが決定される場合、中間デバイスとのデバイス間（Ｄ２Ｄ）接続のセットアップを実行することをさらに備える、請求項１に記載の方法。
【請求項７】
直接的に前記基地局と通信することを決定する場合、ランダムアクセスチャネル（ＲＡＣＨ）プロシージャを実行することをさらに備える、請求項１に記載の方法。
【請求項８】
前記発見プロシージャがどのように実行されるかは、前記ＵＥが前記基地局のカバレージ中にあるか否かに依存する、請求項１に記載の方法。
【請求項９】
前記ネットワークの基地局と直接的に通信することから、中間デバイスを介して前記ネットワークと間接的に通信することに変化することをさらに備える、請求項１に記載の方法。
【請求項１０】
前記変化は、
前記ＵＥと前記中間デバイスとの間の測定されたリンク品質、
前記ＵＥと前記基地局との間の測定されたリンク品質、または
前記中間デバイスと前記基地局との間の測定されたリンク品質
のうちの少なくとも１つによってプロンプトされる、請求項９に記載の方法。
【請求項１１】
前記中間デバイスと前記基地局との間のリンク品質がしきい値レベルを下回る場合、前記発見は実行されない、請求項１に記載の方法。
【請求項１２】
前記発見プロシージャの結果に基づいて、無線リンク監視プロシージャを変更することをさらに備え、ここにおいて、前記無線リンク監視を前記変更することは、前記発見プロシージャの前記結果に依存して、無線リンクの障害を宣言することを備える、請求項１に記載の方法。
【請求項１３】
前記発見プロシージャの間に特定される中間デバイス間で前記ＵＥをハンドオーバするためのアクションをとることをさらに備える、請求項１に記載の方法。
【請求項１４】
前記ネットワークからページを受信することをさらに備え、ここにおいて、前記ページは、前記中間デバイスを介して受信されるか、または前記基地局から直接的に受信される、請求項１に記載の方法。
【請求項１５】
前記基地局から直接的に受信された前記ページに応答して、前記中間デバイスとの接続を確立することをさらに備える、請求項１４に記載の方法。
【請求項１６】
ネットワークにおける装置によるワイヤレス通信のための方法であって、
より大きいシステム帯域幅の少なくとも１つの狭帯域領域を介して前記ネットワークにおいて基地局と通信することが可能な第１のタイプのユーザ機器（ＵＥ）による前記装置の発見を可能にするために、発見プロシージャに関する１つまたは複数のパラメータを決定することと、
前記発見信号を送信することを控えながら、前記装置から前記基地局への信号品質のインジケータを測定することと、
前記決定された１つまたは複数のパラメータに従って発見信号を送信することと、ここにおいて、前記発見信号を送信することは、前記発見信号のうちの少なくとも１つ中の信号品質の前記インジケータを送信することを備え、前記発見信号を送信することは、デバイス間（Ｄ２Ｄ）通信に関して前記装置において利用可能なリソースのインジケーションを送信することをさらに備え、前記装置で利用可能な前記リソースは、前記Ｄ２Ｄ通信に関して利用可能な少なくとも１つのデータレートを備える、
を備える、方法。
【請求項１７】
前記決定することは前記ＵＥとネゴシエートすることを備える、請求項１６に記載の方法。
【請求項１８】
前記１つまたは複数のパラメータは、あらかじめ決定された発見シーケンスまたは発見信号の送信のタイミングのうちの少なくとも１つを備える、請求項１６に記載の方法。
【請求項１９】
前記ＵＥとの接続を確立することと、
前記ＵＥが前記装置を介して前記基地局と間接的に通信することを可能にする、中間デバイスとしてサービスすることと
をさらに備える、請求項１６に記載の方法。
【請求項２０】
ユーザ機器（ＵＥ）によるワイヤレス通信のための装置であって、
前記ＵＥが前記ネットワークの基地局と間接的にそれを通して通信し得る、１つまたは複数の中間デバイスを特定するために、発見プロシージャを実行することと、
前記中間デバイスと前記基地局との間の少なくとも１つの信号強度を含む前記発見プロシージャによって特定される中間デバイスから、情報を受信することと、ここにおいて、前記情報は、前記中間デバイスからの発見信号において受信される、
１つまたは複数の基準に基づいて、より大きいシステム帯域幅の少なくとも１つの狭帯域領域を介して直接的に前記基地局と通信すべきか、または前記中間デバイスを介して間接的に前記ネットワークと通信すべきかを決定することと、
ここにおいて、前記１つまたは複数の基準は、
前記中間デバイスと前記基地局との間の前記信号強度を伴う基準と、
デバイス間（Ｄ２Ｄ）通信に関して前記中間デバイスで利用可能なリソースを伴う基準と、
を備え、前記中間デバイスで利用可能な前記リソースは、前記Ｄ２Ｄ通信に関して利用可能な少なくとも１つのデータレートを備え、ここにおいて、前記受信した情報は、Ｄ２Ｄ通信関して前記中間デバイスで利用可能な前記リソースのインジケーションをさらに含む、
を行うように構成された少なくとも１つのプロセッサと、
前記少なくとも１つのプロセッサと結び付けられたメモリと
を備える、装置。
【請求項２１】
前記１つまたは複数の基準は、
前記発見プロシージャが、前記ＵＥの近傍にある中間デバイスを特定するか否か、
前記ＵＥと前記基地局との間の信号強度を伴う基準、または
前記ＵＥと中間デバイスとの間の信号強度を伴う基準、
のうちの少なくとも１つをさらに備える、請求項２０に記載の装置。
【請求項２２】
前記少なくとも１つのプロセッサは、中間デバイスを介して間接的に前記基地局と通信することが決定される場合、中間デバイスとのデバイス間（Ｄ２Ｄ）接続のセットアップを実行するようにさらに構成された、請求項２０に記載の装置。
【請求項２３】
前記少なくとも１つのプロセッサは、前記ネットワークの基地局と直接的に通信することから、中間デバイスを介して前記ネットワークと間接的に通信することに変化するようにさらに構成された、請求項２０に記載の装置。
【請求項２４】
前記変化は、
前記ＵＥと前記中間デバイスとの間の測定されたリンク品質、
前記ＵＥと前記基地局との間の測定されたリンク品質、または
前記中間デバイスと前記基地局との間の測定されたリンク品質
のうちの少なくとも１つによってプロンプトされる、請求項２３に記載の装置。
【請求項２５】
ワイヤレス通信のための装置であって、
より大きいシステム帯域幅の少なくとも１つの狭帯域領域を介して基地局ネットワークと通信することが可能な第１のタイプのユーザ機器（ＵＥ）による前記装置の発見を可能にするために、発見プロシージャに関する１つまたは複数のパラメータを決定することと、
前記発見信号を送信することを控えながら、前記装置から前記基地局への信号品質のインジケータを測定することと、
前記決定された１つまたは複数のパラメータに従って発見信号を送信することと、ここにおいて、前記発見信号を送信するために、前記少なくとも１つのプロセッサは、前記発見信号のうちの少なくとも１つ中の信号品質の前記インジケータを送信することと、前記発見信号を送信することは、デバイス間（Ｄ２Ｄ）通信に関して前記装置において利用可能なリソースのインジケーションを送信することと、を行うように構成され、前記装置で利用可能な前記リソースは、前記Ｄ２Ｄ通信に関して利用可能な少なくとも１つのデータレートを備える、
を行うように構成された少なくとも１つのプロセッサと、
前記少なくとも１つのプロセッサと結び付けられたメモリと
を備える、装置。
【請求項２６】
前記１つまたは複数のパラメータは、あらかじめ決定された発見シーケンスまたは発見信号の送信のタイミングのうちの少なくとも１つを備える、請求項２５に記載の装置。
【請求項２７】
前記少なくとも１つのプロセッサは、
前記ＵＥとの接続を確立することと、
前記ＵＥが前記装置を介して前記基地局と間接的に通信することを可能にする、中間デバイスとしてサービスすることと
を行うようにさらに構成された、請求項２５に記載の装置。